(57)【要約】【課題】留守番電話センターから携帯電話端末に向けて送信された音声情報に基づいて、その録音日時、録音時間等の情報を携帯電話端末に表示させることができる無線通信方法及び無線通信システムを提供すること。【解決手段】この留守番電話システムＳは、無線により情報の送受信が可能な携帯電話端末２と、携帯電話端末２に向けて送信される録音日時Ｔを提供する留守番電話センター１との間で行われる無線通信に用いられる無線通信方法であって、音声を認識してデータに変換する音声認識手段２３により、留守番電話センター１から携帯電話端末２に向けて送信された録音日時Ｔをデジタルデータに変換する工程を有している。【選択図】        図４
2006197077.tif 000002
【特許請求の範囲】
【請求項１】
無線により情報の送受信が可能な無線通信端末と、該無線通信端末に向けて送信される音声情報を提供する音声情報提供装置との間で行われる無線通信に用いられる無線通信方法であって、
音声を認識してデータに変換する音声認識手段により、前記音声情報提供装置から前記無線通信端末に向けて送信された音声情報をデジタルデータに変換する工程を有することを特徴とする無線通信方法。
【請求項２】
前記無線通信端末が携帯電話端末であり、前記音声情報提供装置が留守番電話センターであり、かつ、前記音声情報が前記留守番電話センターにメッセージが録音された録音日時を指標する情報であることを特徴とする請求項１に記載の無線通信方法。
【請求項３】
前記音声認識手段が、前記無線通信端末に備えられていることを特徴とする請求項１又は請求項２に記載の無線通信方法。
【請求項４】
前記無線通信端末に記録された不在着信履歴と前記音声情報とを関連付ける工程を有することを特徴とする請求項２又は請求項３に記載の無線通信方法。
【請求項５】
前記音声情報が指標する録音日時から所定時間範囲内に前記不在着信履歴が存在する場合に、前記不在着信履歴の発信者によって前記メッセージが録音されたと判断する工程を有することを特徴とする請求項４に記載の無線通信方法。
【請求項６】
前記音声情報が指標する録音日時から所定時間範囲内に前記不在着信履歴が存在しない場合に、前記無線通信端末に新たな不在着信履歴を生成する工程を有することを特徴とする請求項４に記載の無線通信方法。
【請求項７】
前記不在着信履歴と前記音声情報とが関連付けられたことを前記無線通信端末の表示部に表示する工程を有することを特徴とする請求項４に記載の無線通信方法。
【請求項８】
無線により電話の発着信が可能な携帯電話端末と、
発信者からのメッセージが録音された日時を指標する音声情報を前記携帯電話端末に向けて送信する留守番電話センターとを有して構成される無線通信システムであって、
前記携帯電話端末が、前記留守番電話センターより受信した前記音声情報をデジタルデータに変換する音声認識手段を有することを特徴とする無線通信システム。
【請求項９】
コンピュータを、
無線により電話の発着信が可能な携帯電話端末に不在着信があった場合に不在着信履歴を記録する不在着信履歴記録手段、
発信者からのメッセージが録音された日時を指標する音声情報を留守番電話センターから受信する音声情報受信手段、
該音声情報をデジタルデータに変換する音声認識手段、及び
前記不在着信履歴と前記デジタルデータとを関連付けるデータ関連付け手段、
として機能させることを特徴とする無線通信プログラム。
【請求項１０】
不在着信があった場合に不在着信履歴を記録する不在着信履歴記録手段と、
発信者からのメッセージが録音された日時を指標する音声情報を留守番電話センターから受信する音声情報受信手段と、
該音声情報をデジタルデータに変換する音声認識手段と、
前記不在着信履歴と前記デジタルデータとを関連付けるデータ関連付け手段とを有することを特徴とする無線通信端末。
【発明の詳細な説明】
【技術分野】
【０００１】
本発明は、無線通信端末と音声情報提供装置との間の無線通信に用いられる無線通信方法、無線通信システム、無線通信プログラム、及び無線通信端末に関し、特に、携帯電話端末と伝言メッセージを保存する留守番電話センターとの間で行われる留守番情報の無線通信に用いられる無線通信方法及び無線通信システムに関する。
【背景技術】
【０００２】
近年、無線通信を行うための無線通信端末が普及している。特に、電話機としての機能を備えた携帯電話端末は、場所・時間を選ばず手軽に発着信が可能な便利さに加え、端末の高機能化、低価格化、通話エリアの広範囲化によりその普及の勢いは著しい。ここで、端末とは端末機器を意味する。
携帯電話端末に留守番電話機能を備えたものがある。この留守番電話機能とは、発信者（電話をかける者）が携帯電話端末の電話番号に電話をかけても、例えば携帯電話端末が通話エリア圏外にあった場合、携帯電話端末の電源が切れている場合、何らかの事情で着信者（発信者からの電話を受ける者）が電話に出られない場合に、留守番電話センターが発信者の伝言メッセージを保存する機能である。
留守番電話センターとは、携帯電話端末の電話サービスを提供する電話会社（携帯キャリアとも呼ばれる。）が管理運営する音声情報提供装置のことである。例えば、着信者の携帯電話端末が通話エリア圏外にあった場合、発信者がかけた電話は留守番電話センターに接続される。発信者は留守番電話センターにメッセージを録音することができる。留守番電話センターはその伝言メッセージ及びメッセージが録音された日時情報を保存する。後に着信者が留守番電話センターに電話をかけ、発信者からのメッセージを再生することができる。その際、伝言メッセージが録音された日時を音声案内させることも可能である。
発信者が電話をかけた際に、着信者の携帯電話端末が通話エリア圏外にあった場合、又は携帯電話端末の電源が切れている場合は、携帯電話端末には発信者の着信履歴が残らない。しかし、着信者の携帯電話端末に着信しているにも拘わらず着信者が電話に出なかったことにより発信者からの電話が留守番電話センターに接続された場合は、着信者の携帯電話端末には不在着信履歴が残されるようになっている。
携帯電話端末から留守番電話センターに電話をかけた場合に、留守番電話センター側から伝言メッセージの録音日時（例えば、発信者からの電話が留守番電話センターに接続された時刻又は伝言メッセージが録音開始された時刻）、録音時間（録音開始から録音終了までにかかった時間）、及び伝言メッセージを録音した発信者の電話番号を、携帯電話端末に向けて送信し、携帯電話端末上にそれらを留守番電話リストとして表示する提案が開示されている（例えば、特許文献１を参照。）。その他、本発明に関連する提案として例えば、特許文献２〜４に開示のものがある。
【特許文献１】特開２００３−２６４６３７号公報
【特許文献２】特開平１０−１３６９７４号公報
【特許文献３】特開２００４−４０２１７号公報
【特許文献４】特開２００２−１９９０９８号公報
【発明の開示】
【発明が解決しようとする課題】
【０００３】
しかしながら、上記特許文献１に開示のものによれば、伝言メッセージの音声情報とは別に、録音日時、録音時間、発信者の電話番号の情報等を留守番電話センターから携帯電話端末に向けて送信しなければならないという問題がある。そこで、発信者からの電話があったことを示す不在着信履歴が着信者の携帯電話端末に残されていない場合に、留守番電話センターからの情報に基づいて発信者の電話番号を着信者の携帯電話端末に通知する提案も存在する。しかし、その提案を実現するためには留守番電話センターからわざわざ発信者の電話番号情報を着信者の携帯電話端末に向けて送信しなければならない。その上、発信者側が電話番号を非通知設定にしている場合は、この提案によっても着信者は発信者の電話番号を知ることができない。
また、着信者が留守番電話センターの伝言メッセージを聞く場合に録音日時の順に再生しなければならず、例えば１件目及び２件目のメッセージは重要でなく３件目のメッセージが重要であるような場合であっても１件目から順にメッセージを聞かなければならないという問題もある。
【０００４】
本発明は上記の事情に鑑みて成されたもので、留守番電話センターから携帯電話端末に向けて送信された音声情報に基づいて、その録音日時、録音時間等の情報を携帯電話端末に表示させることができる無線通信方法及び無線通信システムを提供することを目的とする。
さらに、携帯電話端末に記録された不在着信履歴と留守番電話センターに保存された伝言メッセージの録音日時との整合性に基づいて、その伝言メッセージを録音した発信者の電話番号を携帯電話端末に表示させることができる無線通信方法及び無線通信システムを提供することを他の目的とする。
【課題を解決するための手段】
【０００５】
上記の例示的課題を解決するために、本発明の一側面としての無線通信方法は、無線により情報の送受信が可能な無線通信端末と、無線通信端末に向けて送信される音声情報を提供する音声情報提供装置との間で行われる無線通信に用いられる無線通信方法であって、音声を認識してデータに変換する音声認識手段により、音声情報提供装置から無線通信端末に向けて送信された音声情報をデジタルデータに変換する工程を有することを特徴とする。
無線通信端末が携帯電話端末であり、音声情報提供装置が留守番電話センターであり、かつ、音声情報が留守番電話センターにメッセージが録音された録音日時を指標する情報であってもよい。音声認識手段が、無線通信端末に備えられていれば望ましい。無線通信端末に記録された不在着信履歴と音声情報とを関連付ける工程を有していてもよい。音声情報が指標する録音日時から所定時間範囲内に不在着信履歴が存在する場合に、不在着信履歴の発信者によってメッセージが録音されたと判断する工程を有してもよい。音声情報が指標する録音日時から所定時間範囲内に不在着信履歴が存在しない場合に、無線通信端末に新たな不在着信履歴を生成する工程を有してもよい。不在着信履歴と音声情報とが関連付けられたことを無線通信端末の表示部に表示する工程を有してもよい。
本発明の他の例示的側面としての無線通信システムは、無線により電話の発着信が可能な携帯電話端末と、発信者からのメッセージが録音された日時を指標する音声情報を携帯電話端末に向けて送信する留守番電話センターとを有して構成される無線通信システムであって、携帯電話端末が、留守番電話センターより受信した音声情報をデジタルデータに変換する音声認識手段を有することを特徴とする。
本発明のさらに他の例示的側面としての無線通信プログラムは、コンピュータを、無線により電話の発着信が可能な携帯電話端末に不在着信があった場合に不在着信履歴を記録する不在着信履歴記録手段、発信者からのメッセージが録音された日時を指標する音声情報を留守番電話センターから受信する音声情報受信手段、音声情報をデジタルデータに変換する音声認識手段、及び不在着信履歴とデジタルデータとを関連付けるデータ関連付け手段、として機能させることを特徴とする。
本発明のさらに他の例示的側面としての無線通信端末は、不在着信があった場合に不在着信履歴を記録する不在着信履歴記録手段と、発信者からのメッセージが録音された日時を指標する音声情報を留守番電話センターから受信する音声情報受信手段と、音声情報をデジタルデータに変換する音声認識手段と、不在着信履歴とデジタルデータとを関連付けるデータ関連付け手段とを有することを特徴とする。
【発明の効果】
【０００６】
本発明によれば、音声情報提供装置から無線通信端末に向けて送信された音声情報をデジタルデータに変換するので、音声情報提供装置から別途デジタルデータを送信する必要がない。例えば、無線通信端末が携帯電話端末、音声情報提供装置が留守番電話センター、音声情報が音声で提供されるメッセージの録音日時である場合に、録音日時を示すデータを別途送信する必要なく、音声情報として録音日時を送信するのみで、携帯電話端末は録音日時をデジタルデータとして把握することができる。それにより録音日時を文字データとして表示したり、録音日時と不在着信日時とに基づいて不在着信履歴と留守番電話センターに保持されているメッセージとを関連付けることができる。
携帯電話端末の使用者は、留守番電話センター内のメッセージの有無、そのメッセージの録音者（電話の発信者）を容易に把握することができるので、大変便利である。また、録音された順序に拘わらず、必要なメッセージのみを再生したり、削除したりすることもできるので、さらに一層便利である。
【実施例】
【０００７】
以下、本発明の実施の一形態について、図面を用いて説明する。
図１は、本発明の実施の形態に係る無線通信システムＳの概念図、図２は、図１に示す無線通信システムに用いられる携帯電話端末の外観を示す斜視図、図３は、不在着信画面に表示される不在着信履歴の構成を説明する説明図である。この無線通信システムは、いわゆる携帯電話の留守番電話システムであって、留守番電話センター（音声情報提供手段）１、携帯電話端末（無線通信端末）２を有している。
留守番電話センター１は図示しない発信者からのメッセージを保存する機能を有する。例えば、発信者が着信者の携帯電話端末２に電話をかけたが、携帯電話端末２が通話エリア圏外にある、携帯電話端末２の電源が切れている、着信者が電話に出ることができない等の場合に、発信者からの電話がこの留守番電話センター１に接続されるようになっている。
電話が留守番電話センター１に接続されると、発信者はメッセージを録音することができる。留守番電話センター１は、発信者からのメッセージとその録音日時（例えば録音が開始された時刻）の情報を保持することができる。もちろん、留守番電話センター１は複数件数のメッセージを保持することができる。ここで、録音日時は、留守番電話センター１が有する時刻情報（時計）に基づいている。
また、留守番電話センター１は、着信者の携帯電話端末２からの要求に応じて、携帯電話端末２に向けて発信者が録音したメッセージを音声情報として提供する機能を有する。さらに、メッセージの録音日時を音声情報として携帯電話端末２に提供する機能をも有する。例えば、録音日時が８月２３日１４時５６分であった場合、携帯電話端末２に向けて、「このメッセージの受取日時は、８月２３日午後２時５６分です。」という音声情報が送信される。
携帯電話端末２は、無線により電話の発着信が可能な無線通信端末である。この携帯電話端末２は、外観的には図２に示すように筐体３、ダイヤルボタン４、表示部５、アンテナ６を有し、内部には各種動作を制御するコンピュータを備えている。さらにそのコンピュータを、不在着信があった場合に不在着信履歴を記録する不在着信履歴記録手段２１、発信者からのメッセージが録音された日時を指標する音声情報を留守番電話センター１から受信する音声情報受信手段２２、音声情報をデジタルデータに変換する音声認識手段２３、及び不在着信履歴とデジタルデータとを関連付けるデータ関連付け手段２４、として機能させる無線通信プログラムとを備えている。また、携帯電話端末２は、電話番号と名前とを関連付けて記録する電話帳メモリを備えているが詳細は省略する。
【０００８】
着信者の携帯電話端末２に発信者からの電話が着信したが何らかの事情で着信者が電話に出なかった場合、不在着信履歴記録手段２１により携帯電話端末２に発信者から電話があったことが不在着信履歴７として記録されるようになっている。この不在着信履歴７は、例えば図３に示すように、着信日時８、発信者情報９（発信者の電話番号を示す情報であるが、携帯電話端末２が有する電話帳メモリ内に発信者の電話番号と名前とが関連付けられて保存されている場合には、発信者の名前）によって構成される。着信日時８は、携帯電話端末２が有する時刻情報（時計）に基づいている。また、発信者が自身の電話番号を「非通知」に設定している場合には、発信者情報９には「非通知」と記録されるようになっている。
一方、発信者が電話をかけた際に、着信者の携帯電話端末２が通話エリア圏外にあった場合や、携帯電話端末２の電源が切れていた場合は、発信者からの電話は不在着信履歴７として記録されない。
携帯電話端末２から留守番電話センター１に割り当てられた所定の電話番号に電話をかけて留守番電話センター１に接続すると、音声情報受信手段２２により留守番電話センター１に保持された発信者からのメッセージ及び録音日時を指標する音声情報を受信することができるようになっている。
音声認識手段２３は音声登録データを有し、その登録データに基づいて音声情報をデジタルデータに変換する。例えば本実施の形態においては、音声登録データは「日」、「時」、「分」、「十」、「二十」、「三十」、「四十」、「五十」、「ちょうど」、「一」、「二」、「三」、「四」、「五」、「六」、「七」、「八」、「九」、「零」、「午前」、「午後」のデータによって構成される。すなわち、これらに相当する音声情報を留守番電話センター１から受信すると、音声認識手段２３はその音声情報をデジタルデータに変換する。変換されたデジタルデータは、文字データとして表示部５に表示される。
データ関連付け手段２４は、不在着信履歴７の着信日時８が留守番電話センター１から受信した録音日時から所定時間範囲内に存在する場合に、この不在着信履歴７と留守番電話センター１に保持されているメッセージとを関連付ける機能を有する。すなわち、メッセージを録音した発信者からの電話着信がこの不在着信履歴７であると判断する。また、不在着信履歴７の着信日時８が留守番電話センター１から受信した録音日時から所定時間範囲内に存在しない場合に、新たな不在着信履歴７を生成する機能をも有するが詳細は後述する。
【０００９】
次に、この無線通信システムの動作について説明する。
図４は、この留守番電話システムの動作を説明する動作概念図、図５は、携帯電話端末の待ち受け画面上にメッセージ有りのアイコンが表示された状態を示す表示例、図６は、携帯電話端末の不在着信画面にメッセージ有りのアイコンが表示された状態を示す表示例、図７は、留守番電話センターに複数のメッセージが保持されている場合の携帯電話端末の不在着信画面の表示例、図８は、携帯電話端末の不在着信画面に新たな不在着信履歴が生成された様子を示す説明図である。
着信者が携帯電話端末２で電話をかけたりアプリケーションソフトを用いてネットワークに接続することにより携帯電話端末２が基地局１１に接続されると、携帯電話端末２宛のメッセージの有無やメッセージ件数の情報が留守番電話センター１から基地局１１を介して携帯電話端末２に向けて送信される。ここで、発信者からのメッセージが留守番電話センター１に保持されている場合は、図５に示すように、携帯電話端末２の表示部５に表示された待ち受け画面上に、留守番電話センター１にメッセージが有ることを示すアイコン１２が表示される。
ここで、例えば待ち受け画面上のアイコン１２を選択する等により留守番電話センター１が呼び出されて録音日時の再生要求が行われると、メッセージが録音された録音日時を指標する音声情報が留守番電話センター１から送信される。携帯電話端末２が音声情報を受信すると、音声認識手段２３によりその音声情報がデジタルデータに変換される。データ関連付け手段２４によってデジタルデータが示す日時と携帯電話端末２内に記録されている不在着信履歴７の着信日時とが照合され、デジタルデータが示す日時（録音日時）から所定時間範囲内に着信日時が１つ存在すれば、その着信日時の不在着信履歴７がデジタルデータと関連付けられる。すなわち、不在着信履歴７が示す発信者情報９の発信者が、そのデジタルデータが指標する録音日時にそのメッセージを録音したと判断される。
そして、図６に示すように表示部５の不在着信画面１３には、不在着信履歴７に対応して留守番電話センター１にメッセージが保持されていることを示すアイコン１４が表示される。着信者が不在着信画面１３の中から不在着信履歴７を選択すると、不在着信履歴７が例えば実線枠で囲まれ図が単色(黒)で示されているため，赤枠とは表記できない．この画面上(図6)で，枠を利用しているのは当該部分だけなので，実線枠と表記した方がよいと判断．たように表示される。このとき、表示部５に表示される別メニュー（不図示）からメッセージの再生、メッセージの削除、発信者への電話発信が選択可能となる。
【００１０】
着信者がメッセージの再生を選択すると、携帯電話端末２は自動的に留守番電話センター１を呼び出し、留守番電話センター１にメッセージ再生要求に対応するトーン信号（ＤＴＭＦ）を送信し、留守番電話センター１に保持されたメッセージを再生する。再生されたメッセージは携帯電話端末２のスピーカーから聞くことができる。例えば図７に示すように複数のメッセージが留守番電話センター１に保持されている場合、それぞれのメッセージに対応する不在着信履歴７ａ〜７ｃにアイコン１４ａ〜１４ｃが表示される。着信者が、例えば不在着信履歴７ｂに対応する２番目のメッセージのみを再生したい場合は、不在着信履歴７ｂを選択してメッセージの再生を選択する。携帯電話端末２は留守番電話センター１にメッセージを指定する情報とメッセージ再生要求に対応するトーン信号とを送信し、２番目のメッセージのみが再生される。録音順序に関係なく必要なメッセージのみを再生することができるので、大変便利である。
メッセージの削除を選択すると、携帯電話端末２は自動的に留守番電話センター１を呼び出し、留守番電話センター１にメッセージ削除要求に対応するトーン信号を送信し、留守番電話センター１に保持されたメッセージを削除する。上記と同様、複数のメッセージが留守番電話センター１に保持されている場合、それぞれのメッセージに対応する不在着信履歴７ａ〜７ｃにアイコン１４ａ〜１４ｃが表示される。着信者が、例えば不在着信履歴７ｂに対応する２番目のメッセージのみを削除したい場合は、不在着信履歴７ｂを選択してメッセージの削除を選択する。携帯電話端末２は留守番電話センター１にメッセージを指定する情報とメッセージ削除要求に対応するトーン信号とを送信し、２番目のメッセージのみが削除される。録音順序に関係なく削除したいメッセージのみを削除することができるので、大変便利である。削除完了後には携帯電話端末２のスピーカーから削除完了を示すメッセージが流れ、２番目の不在着信履歴７ｂからアイコン１４ｂが消滅する。
発信者への電話発信を選択すると、携帯電話端末２は発信者の電話番号を自動的にダイヤルし、発信者へ電話をかける。
発信者が電話をかけた際に着信者の携帯電話端末２が通話エリア圏外にあったような場合は、デジタルデータが示す日時（録音日時）から所定時間範囲内に着信日時を有する不在着信履歴７が存在しない。このような場合、図８に示すように録音日時を着信日時１５ａとし、発信者情報１５ｂを「Ｕｎｋｎｏｗｎ」とする新たな不在着信履歴１５が生成される。この不在着信履歴１５を選択することにより、留守番電話センター１に保持されたメッセージの再生や削除が可能となる。
【００１１】
次に、留守番電話センター１が有する時計と携帯電話端末２が有する時計との誤差等に起因して、メッセージの録音日時と不在着信履歴７の着信日時とが整合しない場合やメッセージの録音日時に複数の着信日時が整合してしまう場合の判断処理について図９から図１１を用いて説明する。図９は、メッセージの録音日時と不在着信履歴との関連付けにおける判断処理を説明するフローチャートＡ、図１０は、メッセージの録音日時と不在着信履歴との関連付けにおける判断処理を説明するフローチャートＢ、図１１は、携帯電話端末の不在着信画面に複数の新たな不在着信履歴が生成された様子を示す説明図である。
携帯電話端末２のデータ関連付け手段２４には上記の所定時間範囲に相当する閾値ｔ１が予め設定されている。まず、図９に示すように、ステップＡ１において、新たな閾値ｔ２（後述）が設定されているかどうか判断する。新たな閾値ｔ２が設定されていない場合は、録音日時Ｔに対し、Ｔ±ｔ１の時間範囲内で不在着信履歴７の着信日時Ｔｈを検索する（ステップＡ４）。Ｔ±ｔ１の範囲内に着信日時Ｔｈを有する不在着信履歴７が存在するかどうか判断し（ステップＡ７）、不在着信履歴７が１つも存在しない場合には、着信日時Ｔ、発信者「Ｕｎｋｎｏｗｎ」とする新たな不在着信履歴７を携帯電話端末２の不在着信画面に追加し、メッセージ有りを示すアイコンを表示する（ステップＡ８）。一方、Ｔ±ｔ１の範囲内に着信日時Ｔｈを有する不在着信履歴７が１つ以上存在する場合には、図１０に示すフローチャートＢに移行する（ステップＡ６）。
【００１２】
図１０に示すように、ステップＢ１において、Ｔ±ｔ１の範囲内に着信日時Ｔｈを有する不在着信履歴７が２件以上存在するかどうか判断する。不在着信履歴７が１つのみ存在する場合は、その不在着信履歴７と録音日時Ｔとを関連付け、その不在着信履歴７にメッセージ有りを示すアイコンを表示させ、着信日時Ｔｈと録音日時Ｔとの差の絶対値ｔ２＝｜Ｔｈ−Ｔ｜を新たな所定時間範囲として設定する（ステップＢ２）。
一方、ステップＢ１でＴ±ｔ１の範囲内に着信日時Ｔｈを有する不在着信履歴７が２つ以上存在すると判断した場合は、録音日時Ｔに対してＴ〜Ｔ＋ｔ１の時間範囲内で留守番電話センター１に他のメッセージが保持されているかどうかを検索する（ステップＢ３）。他のメッセージが保持されていない場合は、録音日時Ｔに最も近い時刻の着信日時Ｔｈを有する不在着信履歴７とその録音日時Ｔとを関連付け、その不在着信履歴７にメッセージ有りのアイコンを表示させる（ステップＢ４）。
ステップＢ３の結果，録音日時Ｔに対しＴ〜Ｔ＋ｔ１の時間範囲内で留守番電話センター１に他のメッセージが保持されている場合は、時間Ｔ〜Ｔ＋ｔ１の範囲内にある不在着信履歴７の件数Ｘと（ステップＢ５）、留守番電話センター１に保持されているメッセージの件数Ｙとを求める（ステップＢ６）。ここで、件数Ｘが件数Ｙ以上であるかどうか判断し（ステップＢ７）、件数Ｘが件数Ｙ以上であれば、該当する（すなわち録音日時Ｔに最も近い）時刻の着信日時Ｔｈを有する不在着信履歴７とその録音日時Ｔとをそれぞれ関連付け、それらの不在着信履歴７にメッセージ有りのアイコンを表示させる（ステップＢ９）。件数Ｘが件数Ｙ未満である場合には、不足分（すなわちＹ−Ｘ件分）に相当する件数の不在着信履歴７を、発信者「Ｕｎｋｎｏｗｎ」として新たに携帯電話端末２の不在着信画面に追加し（ステップＢ８）、メッセージ有りを示すアイコンを表示する（ステップＢ９）。予め記録されている不在着信履歴７に対しては、その着信日時Ｔｈに最も近いメッセージの録音日時Ｔを関連付け、メッセージ有りのアイコンを表示する。上記の予め記録された不在着信履歴７に関連付けられた録音日時Ｔを除いた残りのそれぞれの録音日時Ｔを新たな不在着信履歴７の着信日時とする。
【００１３】
ここで、追加表示された新たな複数の不在着信履歴７には、図１１に示すようにそれぞれ追加表示された件数（すなわちＹ−Ｘ）に相当する数字を併記したメッセージ有りを示すアイコン１６を表示してもよい。この場合、いずれかのメッセージを１件削除するごとに、全てのアイコン１６の併記数字を１ずつ減算すると着信者にとってわかりやすい。
また、メッセージ有りを示すアイコンを未再生の場合と再生済みの場合とで変更し、再生済みかどうかがすぐわかるようにすればなお便利である。もちろん、不在着信履歴７に関連付けられた録音日時のメッセージが削除されれば、メッセージ有りのアイコンを消去（非表示）としてもよい。
【００１４】
図９に示すステップＡ１において、新たな閾値ｔ２が設定されている場合は、それ以降は録音日時Ｔに対し、Ｔ±ｔ２の時間範囲内で不在着信履歴７の着信日時Ｔｈを検索する（ステップＡ２）。そして、Ｔ±ｔ２の範囲内に着信日時Ｔｈを有する不在着信履歴７が１件以上存在するかどうか判断し（ステップＡ３）、不在着信履歴７が１つも存在しない場合にはｔ２をリセットし（ステップＡ５）、再び録音日時Ｔに対し、Ｔ±ｔ１の時間範囲内で不在着信履歴７の着信日時Ｔｈを検索する（ステップＡ４）。ステップＡ３において、Ｔ±ｔ２の範囲内に着信日時Ｔｈを有する不在着信履歴７が１件以上存在する場合（ステップＡ３）にはさらにフローチャートＢへと移行する（ステップＡ６）。
以上、本発明の好ましい実施の形態を説明したが、本発明はこれらに限定されるものではなく、その要旨の範囲内で様々な変形や変更が可能である。
【図面の簡単な説明】
【００１５】
【図１】本発明の実施の形態に係る留守番電話システムの全体像の概略を示す概念図
【図２】図１に示す無線通信システムに用いられる携帯電話端末の外観を示す斜視図
【図３】不在着信画面に表示される不在着信履歴の構成を説明する説明図
【図４】図１に示す留守番電話システムの動作を説明する動作概念図
【図５】携帯電話端末の待ち受け画面上にメッセージ有りのアイコンが表示された状態を示す表示例
【図６】携帯電話端末の不在着信画面にメッセージ有りのアイコンが表示された状態を示す表示例
【図７】留守番電話センターに複数のメッセージが保持されている場合の携帯電話端末の不在着信画面の表示例
【図８】携帯電話端末の不在着信画面に新たな不在着信履歴が生成された様子を示す説明図
【図９】メッセージの録音日時と不在着信履歴との関連付けにおける判断処理を説明するフローチャート
【図１０】メッセージの録音日時と不在着信履歴との関連付けにおける判断処理を説明するフローチャート
【図１１】携帯電話端末の不在着信画面に複数の新たな不在着信履歴が生成された様子を示す説明図
【符号の説明】
【００１６】
１  留守番電話センター（音声情報提供装置）
２  携帯電話端末（無線端末）
３  筐体
４  ダイヤルボタン
５  表示部
６  アンテナ
７，７ａ〜７ｃ  不在着信履歴
９，１５ｂ  発信者情報
１１  基地局
１２，１４，１４ａ〜１４ｃ，１６  アイコン
１３  不在着信画面
１５  新たな不在着信履歴
Ｓ  留守番電話システム（無線通信システム）
Ｔ  録音日時
Ｔｈ，８，１５ａ  着信日時
ｔ１，ｔ２  所定時間
Ｘ  不在着信履歴件数
Ｙ  メッセージ件数
２１  不在着信履歴記録手段
２２  音声情報受信手段
２３  音声認識手段
２４  データ関連付け手段
【図１】
2006197077.tif 000003
【図２】
2006197077.tif 000004
【図３】
2006197077.tif 000005
【図４】
2006197077.tif 000006
【図５】
2006197077.tif 000007
【図６】
2006197077.tif 000008
【図７】
2006197077.tif 000009
【図８】
2006197077.tif 000010
【図９】
2006197077.tif 000011
【図１０】
2006197077.tif 000012
【図１１】
2006197077.tif 000013